(57)【特許請求の範囲】
【請求項１】
カメラ本体を防水ハウジング内に収納して撮影を行なうようにした撮影装置において、
カメラ本体の表示部に重合うようにタッチパネルが配され、該タッチパネルによって前記カメラ本体の操作を行なうとともに、
前記カメラ本体を防水ハウジング内に収納して撮影を行なう場合には、前記防水ハウジングに設けられている操作釦の操作に連動して前記カメラ本体の操作釦が操作されるようにし、
前記カメラ本体の制御部がモード変更手段を有し、該モード変更手段によってハウジングモードに切換えられると、前記カメラ本体の前記表示部の光源のＯＮ−ＯＦＦの操作釦が、フラッシュのＯＮ−ＯＦＦの操作釦として前記カメラ本体が前記防水ハウジング内に収納された状態で撮影を行なう機能を負担するようにし、
前記モード変更手段による切換えによってハウジングモードに切換えられ、しかもハウジングモードにおいて撮影モードと再生モードとに切換えられるようになっており、前記カメラ本体のズーム釦が、前記撮影モードではズーム釦としての機能を負担し、前記再生モードでは画面の送りと戻しの機能を負担することを特徴とする撮影装置。
【請求項２】
前記モード変更手段によるモードの切換えは、前記カメラ本体のタッチパネルの操作によって行なわれることを特徴とする請求項１に記載の撮影装置。
【請求項３】
前記防水ハウジングに設けられている操作釦の操作に連動して、前記カメラ本体のフラッシュの切換え動作が行なわれることを特徴とする請求項１に記載の撮影装置。
【請求項４】
前記防水ハウジングに設けられている操作釦の操作に連動して、前記カメラ本体のズーム動作が行なわれることを特徴とする請求項１に記載の撮影装置。
【発明の詳細な説明】
【技術分野】
【０００１】
本発明は、撮影装置に係り、とくにカメラ本体を防水ハウジング内に収納して撮影を行なうようにした撮影装置に関する。
【背景技術】
【０００２】
デジタルスチルカメラやデジタルビデオカメラ等の撮影装置によって、水中で撮影を行なう場合には、上記のデジタルスチルカメラやデジタルビデオカメラを、例えば特開２００５−１１５１７８号公報やあるいは特開２００３−１３１３１５号公報に開示されているような撮影装置用の防水ケースあるいは防水ハウジング内に収納し、デジタルスチルカメラやデジタルビデオカメラに水がかからないようにして撮影を行なう。
【０００３】
一方でデジタルスチルカメラやデジタルビデオカメラの操作部を、液晶表示パネルの表面に重合わせたタッチパネルによって行なう撮影装置が提供されている。このような装置は、上記液晶表示パネルの上側に、透明電極を有するタッチパネルを配し、このタッチパネルの対応する位置を押圧操作すると、透明電極が互いに接触してスイッチング動作を行ない、これによって制御部が対応する動作を行なうようにしている。
【０００４】
このような表示パネルの上にタッチパネルを配し、このタッチパネルによって撮影のための必要な操作を行なうようにした撮影装置を、上述の防水ケースあるいは防水ハウジング内に収納すると、タッチパネルによる操作が行なえなくなる問題がある。すなわち防水ケースや防水ハウジングは、水圧に耐えるように所定の剛性を有する材料から構成されており、このためにたとえハウジングを透明にしても、この透明なハウジングの所定の位置を押圧操作し、これによってその内側のタッチパネルを押圧操作して所定の動作を行なわせることが不可能になる。
【０００５】
このような問題を解決するために、従来は防水ハウジングにスイッチと基板とを設けるようにし、電気的に撮影装置を操作する方法が採用されていた。しかしながらこの方法は、撮影装置と防水ハウジングとの間の電気信号のやり取りのためのケーブルが必要になる。これによってコストが増大する。またこのような電気信号のやり取りのためのスイッチと基板とを配する構成によると、コストアップになるとともに、防水ハウジングの寸法が大きくなる欠点がある。
【０００６】
また液晶表示パネルに重合わせて設けられたタッチパネルを操作するための釦を防水ハウジングの対応する位置に設けるようにすると、この釦が必然的に液晶表示パネルの上に配置されるために、表示パネルによる表示を外から見難くなる。またハウジングに設けられている操作釦を操作すると、タッチパネルを介して液晶表示パネルの表面を押圧することになり、これによって液晶表示パネルが破壊する可能性を生ずる。従って防水ハウジングにタッチパネルを操作するための操作釦を設けることは実質的に不可能である。
【特許文献１】特開２００５−１１５１７８号公報
【特許文献２】特開２００３−１３１３１５号公報
【発明の開示】
【発明が解決しようとする課題】
【０００７】
本願発明の課題は、水圧に耐えるように所定の剛性を有する防水ハウジング内に収納された電子スチルカメラや電子ビデオカメラであって、その操作を表示パネルの上に重合わせて配されたタッチパネルによって行なうようにした撮影装置において、上記の防水ハウジングを変形させることなくしかも確実に内部に収納されたカメラ本体を操作できるようにした撮影装置を提供することである。
【０００８】
本願発明の別の課題は、表示パネル上に重合わせて配置されたタッチパネルによって各種の操作を行なうようにしたカメラ本体を、防水ハウジング内に収納してしかも確実に各種の操作を行ない得るようにした撮影装置を提供することである。
【０００９】
本願発明のさらに別の課題は、防水ハウジング内にスイッチと基板とを設けて、カメラ本体と防水ハウジングとの間での電気信号のやり取りを行なう機構を設けることなく、しかも表示パネル上にタッチパネルを設けたカメラ本体を操作できるようにした撮影装置を提供することである。
【００１０】
本願発明のさらに別の課題は、液晶表示パネル上に重ねて配置されたタッチパネルを操作するための釦を上記タッチパネルの操作部と対応するように防水ハウジングに設けることなく、しかも上記タッチパネルを有するカメラ本体を防水ハウジングの外から操作できるようにした撮影装置を提供することである。
【００１１】
本願発明の上記の課題および別の課題は、以下に述べる本願発明の技術的思想、およびその実施の形態によって明らかにされる。
【課題を解決するための手段】
【００１２】
本願の主要な発明は、カメラ本体を防水ハウジング内に収納して撮影を行なうようにした撮影装置において、
カメラ本体の表示部に重合うようにタッチパネルが配され、該タッチパネルによって前記カメラ本体の操作を行なうとともに、
前記カメラ本体を防水ハウジング内に収納して撮影を行なう場合には、前記防水ハウジングに設けられている操作釦の操作に連動して前記カメラ本体の操作釦が操作されるようにし、
前記カメラ本体の制御部がモード変更手段を有し、該モード変更手段によってハウジングモードに切換えられると、前記カメラ本体の前記表示部の光源のＯＮ−ＯＦＦの操作釦が、フラッシュのＯＮ−ＯＦＦの操作釦として前記カメラ本体が前記防水ハウジング内に収納された状態で撮影を行なう機能を負担するようにし、
前記モード変更手段による切換えによってハウジングモードに切換えられ、しかもハウジングモードにおいて撮影モードと再生モードとに切換えられるようになっており、前記カメラ本体のズーム釦が、前記撮影モードではズーム釦としての機能を負担し、前記再生モードでは画面の送りと戻しの機能を負担することを特徴とする撮影装置に関するものである。
【００１３】
ここで、前記モード変更手段によるモードの切換えは、前記カメラ本体のタッチパネルの操作によって行なわれてよい。また前記防水ハウジングに設けられている操作釦の操作に連動して、前記カメラ本体のフラッシュの切換え動作が行なわれてよい。また前記防水ハウジングに設けられている操作釦の操作に連動して、前記カメラ本体のズーム動作が行なわれてよい。
【００１７】
本願発明の好ましい態様は、タッチパネルの操作によって各種の動作を可能にしたカメラ本体において、防水ハウジングを使用して内部のカメラ本体を操作する際に、予めカメラ本体の操作モードを切換えておき、防水ハウジングに設けられている最小限の操作釦の操作のみによってカメラ本体の操作を可能にする。ハウジングモードに設定することによって、防水ハウジングに装着しても、最低限の機能の操作が可能になるものである。
【００１８】
上述のようなタッチパネル操作の機種において、ハードキーの割当を変更することによって、防水ハウジングによって機能が変更されたハードキーを操作することにより、タッチパネルを操作するだけで水中撮影時に求められる、フラッシュの切換えや、再生画確認等の最低限の機能を防水ハウジングの外から操作することが可能になる。
【発明の効果】
【００１９】
本願の主要な発明は、カメラ本体を防水ハウジング内に収納して撮影を行なうようにした撮影装置において、カメラ本体の表示部に重合うようにタッチパネルが配され、該タッチパネルによってカメラ本体の操作を行なうとともに、カメラ本体を防水ハウジング内に収納して撮影を行なう場合には、防水ハウジングに設けられている操作釦の操作に連動してカメラ本体の操作釦が操作されるようにし、カメラ本体の制御部がモード変更手段を有し、該モード変更手段によってハウジングモードに切換えられると、カメラ本体の表示部の光源のＯＮ−ＯＦＦの操作釦が、フラッシュのＯＮ−ＯＦＦの操作釦としてカメラ本体が防水ハウジング内に収納された状態で撮影を行なう機能を負担するようにし、モード変更手段による切換えによってハウジングモードに切換えられ、しかもハウジングモードにおいて撮影モードと再生モードとに切換えられるようになっており、カメラ本体のズーム釦が、撮影モードではズーム釦としての機能を負担し、再生モードでは画面の送りと戻しの機能を負担するようにしものである。
【００２０】
従ってこのような撮影装置あるいは撮影方法によると、水中撮影を行なう場合にはカメラ本体を防水ハウジング内に収納するとともに、防水ハウジングに設けられている操作釦を操作することによって、カメラ本体の操作釦が操作されることになる。
【発明を実施するための最良の形態】
【００２１】
以下本願発明を図示の実施の形態によって説明する。図１〜図５は本実施の形態に係る防水ハウジングを示している。この防水ハウジング１０は、例えば電子スチルカメラ等のカメラ本体をその内部に収納し、水中撮影を行なう際に、上記カメラ本体を水から保護するものである。
【００２２】
ハウジング本体１０はその後部側が開放されており、この開放された後部をリヤカバー１１によって開閉自在に覆うようになっていてる。なおリヤカバー１１はヒンジ１２を有し、このヒンジ１２がハウジング本体１０の背面側開口の側部に設けられている取付けアーム１３によって回動自在に支持される。また上記リヤカバー１１の反対側の側端には取付けアーム１４が連設され、この取付けアーム１４によってロックアーム１５を回動自在に支持している。ロックアーム１５はハウジング本体１０の上記取付けアーム１３とは反対側の側端の段部と係合され、これによってリヤカバー１１を閉じた状態でロックするようにしている。
【００２３】
上記ハウジング本体１０の内部には保持枠１８が配されている。この保持枠１８は内部に収納されるカメラ本体を保持するものである。そして保持枠１８の前方側には、カメラ本体のレンズ鏡筒の外周部を押さえるカメラ押さえ１９を備えるとともに、このカメラ押さえ１９に対応して、ハウジング本体１０には前方に突出するように保持筒２０が連設されている。保持筒２０の外周側にはゴム製の外筒２１が固着されるようになっている。そして上記保持筒２０の先端側の開口部にシール部材２２を介してガラス板等の透明板２３が取付けられるようになっており、押さえリング２４によって前方から押さえられるようになっている。さらに押さえリング２４の外側を外側押さえ２５によって押さえるようにしている。
【００２４】
上記防水ハウジング１０の前面側の内側であって保持筒２０の上方には、カメラ本体のフラッシュライトからの光を導く反射フレーム３０が取付けられている（図１、図５参照）。この反射フレーム３０は図６〜図１１に示すように、合成樹脂成形体から構成され、背面側には下方に延出された突片３１を備えている。突片３１の内側が反射面３２に構成されている。また反射フレーム３０内には上方へ突出するように突片３３が形成されている。そしてこの突片３３の背面側が反射面３４になっている。反射フレーム３０の背面側には入射窓３５が形成され、これに対して反射フレーム３０の前方側には出射窓３６が形成されている。そして上記出射窓３６を覆うように拡散板３７が設けられ、さらに拡散板３７を備える出射窓３６の側部には取付け用凹部３８が連設されている。そして取付け用凹部３８にはメッキを止着して形成された凸面鏡３９が設けられている。また上記取付け用凹部３８の下側が取付け用突部４０になっている。
【００２５】
次に上述の防水ハウジング内に収納される電子スチルカメラから成るカメラ本体４５について図１２〜図１４によって説明する。カメラ本体４５は沈胴タイプのレンズ鏡筒４６を備えている。レンズ鏡筒４６は、電源釦４８を押圧操作することによって前方に突出するとともに、このパワースイッチ４８を遮断すると図１２に示すように、レンズ鏡筒４６が内部に収納されるようになっている。レンズ鏡筒４６の斜め上方にはフラッシュライト４７が配されている。このフラッシュライト４７は、図１１に示すように、小型の円柱状をなすキセノン管４１を、断面が円弧状の反射板４２と平板状のレンズ４３とから成るケース内に配したものである。そしてこのフラッシュライト４７は、上記防水ハウジングの反射フレーム３０の入射窓３５に対応している。またカメラ本体４５の上部には電源釦から成るパワースイッチ４８と、シャッタ釦４９とが取付けられている。
【００２６】
これに対してカメラ本体４５の背面側には、液晶表示装置から成る表示パネル５１が取付けられている。またカメラ本体４５の背面側には、ズーム釦５２が配されている。ズーム釦５２は、テレ／ワイド切換えのための動作を行なうものである。またカメラ本体４５の側部には、摺動式の操作釦であって、撮影／再生切換え釦５３が設けられている。また上記ズーム釦５２の下側にはタッチパネル釦５４が設けられており、このタッチパネル釦５４を操作すると、表示パネル５１上に重ねて配されているタッチパネル５７が動作状態になる。従ってタッチパネル５７によって入力操作が可能になる。
【００２７】
上記タッチパネル釦５４の下側にはさらにバックライトＯＮ−ＯＦＦ釦５５が設けられている。このバックライトＯＮ−ＯＦＦ釦５５によって、表示パネル５１のバックライトの点灯と消灯とを切換えるようにしている。
【００２８】
表示パネル５１は上述のように、図１４に示すようなタッチパネル５７をその上側に重ねて配している。タッチパネル５７は、互いに対向するように配されている一対の透明な絶縁フィルムから構成され、これらの絶縁フィルムの互いに対向する面にそれぞれ透明電極が形成されている。従ってタッチパネル５７を指で押圧操作すると、互いに対向する透明電極が短絡し、これによって入力操作が可能になる。このような入力操作が行なわれるタッチパネル５７上の釦には、オート釦５８、メニュー釦５９、フラッシュ釦６０、タイマ釦６１、マクロ釦６２、画面サイズ設定釦６３がそれぞれ設けられている。
【００２９】
このような押圧操作によって各種の操作を行なう操作釦５８〜６３を有するタッチパネル５７を表示パネル５１上に重ねて配したカメラ本体４５を操作する場合には、上記タッチパネル釦５４を操作する。するとこのタッチパネル釦５４の操作に連動して、タッチパネル５７が起動されることになる。従ってタッチパネル５７上の各種の操作釦５８〜６３を操作することによって、対応する機能が行なわれる。
【００３０】
ところがカメラ本体４５を上述の防水ハウジング内に収納した場合には、上記タッチパネル５７の操作釦５８〜６３と対応する位置には、防水ハウジングのリヤカバー１１には操作釦が設けられていないために、タッチパネル５７上の操作釦５８〜６３を防水ハウジングの外から操作できなくなる。そこで本実施の形態においては、最小限の機能を達成するように、図１５に示す対応を採っている。すなわちカメラ本体４５のパワースイッチ４８と防水ハウジングのパワースイッチ６６とを対応させ、カメラ本体４５のシャッタ釦４９とシャッタ釦６７とを対応させている。さらにカメラ本体４５のズーム釦５２、撮影／再生切換え釦５３、およびバックライトＯＮ−ＯＦＦ釦５５を、防水ハウジングのズーム釦６８、６９、撮影／再生切換え釦７０、およびフラッシュ釦７１にそれぞれ対応させている。このような対応を採ることによって、カメラ本体４５の表示パネル５１上のタッチパネル５７の操作を行なうことなく、しかも対応する操作を可能にしている。
【００３１】
図１６は上記タッチパネル５７を操作入力部として備える電子スチルカメラ４５の制御系を示しており、鏡筒４６内のレンズ７５による映像光は、ＣＣＤ７６上に結像され、このＣＣＤ７６から読出された映像信号が増幅器７７によって増幅され、信号処理部７８に供給され、この信号処理部７８で所定の処理を終った後に映像信号処理回路７９に送られるようになっている。
【００３２】
またこのカメラ本体４５はＣＰＵから成る制御回路８０を備え、この制御部８０に上記タッチパネル５７が接続されるとともに、制御部８０にはさらに別の操作部８１が接続されている。
【００３３】
映像信号処理回路７９には液晶駆動部８３が接続され、この液晶駆動部８３によって液晶表示パネル５１の駆動を行なうようにしている。そしてこの液晶表示パネル５１に、上記タッチパネル５７が重なるように配置されている。また映像信号処理回路７９には内部メモリ８４が接続されるとともに、インターフェース８５を介してメモリドライブ８６が接続されている。メモリドライブ８６は、メモリカード等の半導体メモリ８７を着脱可能に接続できるようになっている。さらに映像信号処理回路７９には、インターフェース８８を介してＵＳＢコネクタ８９が接続され、この映像信号処理回路７９からの映像を外部に転送できるようになっている。
【００３４】
次にこのような制御系を備える電子スチルカメラから成るカメラ本体４５の操作について説明する。このカメラ本体４５を防水ハウジング内に収納しないで使用する場合には、このカメラ本体４５の外筐に設けられている操作釦４８、４９、５２〜５５の操作と、上記表示パネル５１上に設けられているタッチパネル５７上に設定される操作釦５８〜６３とを用いて各種の操作を行なう。とくにここで、表示パネル５１上に設けられている透明なタッチパネル５７（図１４参照）による各種の操作を行なうことによって、このカメラ本体４５の外筐上に設けられる操作釦の数を少なくし、複雑な動作を可能にしている。
【００３５】
次にこのようなカメラ本体４５を用いて水中撮影等を行なう場合には、防水ハウジング内にこのカメラ本体４５を収納する。図１〜図５に示すように、防水ハウジングのハウジング本体１０は、その背面側が開口になっており、この開口の部分にカメラ本体４５を収納し、リヤカバー１１によって閉じるようにしている。このときにハウジング本体１０内において、カメラ本体４５は保持枠１８によって保持されかつカメラ押さえ１９によって鏡筒４６の外周側の部分が前方から押さえられた状態で安定に収納される。しかもリヤカバー１１によってハウジング本体１０の背面側開口が閉じられるために、防水ハウジング内に水が侵入することがなく、このためにカメラ本体１０を水から保護した状態で使用できるようになる。
【００３６】
次にこのような電子スチルカメラ４５に設けられているフラッシュライト４７を使用する場合には、防水ハウジング側の反射フレーム３０を用いてフラッシュライト４７からの光を防水ハウジングの保持筒２０の外周側に導くようにしている。これはカメラ本体４５のフラッシュライト４７が鏡筒４６に対して半径方向に所定の距離離れた位置に配されているものの、防水ハウジングに収納されると、保持筒２０および外筒２１によって光が遮蔽されるのに鑑みて、図１１に示すように、反射フレーム３０によって光を保持筒２０の外周側に導くようにしている。
【００３７】
カメラ本体４５のフラッシュライト４７からの光は、反射フレーム３０の突片３３の背面側で反射され、さらに背面側の突片３１の反射面３２で反射され、これによって反射フレーム３０の出射窓３６の拡散板３７を通して前方に拡散する。ここで拡散板３７の位置が、カメラ本体４５のフラッシュライト４７よりも外周側に位置するために、防水ハウジングの保持筒２０の外周側に偏倚されるようになる。
【００３８】
このように本実施の形態においては、防水ハウジング内におけるカメラ本体４５の位置が一義的に定められ、フラッシュライト４７の光が反射フレーム３０の内部において反射面３４および３２によって反射され、これによって防水ハウジングの保持筒２０および外筒２１によって遮蔽されることなく撮影が行なわれる。またこの反射フレーム３０の取付け用凹部３８にメッキによって形成されている凸面鏡３９が、ズーム撮影を行なう自分撮りミラーとして使用することができる。なおこのような凸面鏡３９と反射フレーム３０の反射面３２、３４とは、同じ部品であるために反射フレーム３０に対するメッキ工程を１工程増やすだけで製造が可能になる。
【００３９】
このようにフラッシュライト４７を内蔵した電子スチルカメラから成るカメラ本体４５を防水ハウジング内に収納する場合に、防水ハウジングに設けられた反射フレーム３０の反射面３４、３２を利用し、これによってレンズ鏡筒４６および防水ハウジングの保持筒２０との間の半径方向の相対位置をずらし、カメラ本体４５に内蔵したフラッシュライト４７がレンズ鏡筒４６の近傍にあっても、フラッシュライト４７からの光が防水ハウジングによって遮蔽されることなくフラッシュ撮影を行なうことができる。また反射面３２、３４を備える反射フレーム３０はその外側から鏡面状になっており、取付け用凹部３８に設けられている凸面鏡３９を自分撮りミラーとして使うことができるために、付加価値が付与されるようになる。
【００４０】
次にカメラ本体４５を防水ハウジング内に収納して撮影を行なう際における、操作部の切換え動作を図１７によって説明する。この動作は、電子スチルカメラから成るカメラ本体４５を防水ハウジング内に収納する前の状態において、表示パネル５１上のタッチパネル５７によって行なわれる。すなわち図１３に示すタッチパネル釦５４を操作し、これによってタッチパネル５７を起動させる。そしてこの状態で、タッチパネル５７の表示を行なわせ、このタッチパネル５７上に設定されるメニュー釦５９（図１４参照）を利用し、これによってハウジングモードの選択を行なう。ハウジングモードの選択において、図１７に示すように、ハウジングモードを選択すると、ハウジングモードになる。これに対してハウジングモードの選択を行なわない場合には、タッチパネルモードになる。
【００４１】
図１８はタッチパネルモードとハウジングモードの対比を示している。これらのモードの対比は、主に防水ハウジング上のズーム釦６８、６９およびフラッシュ釦７１に対応するカメラ本体４５のズーム釦５２、バックライトＯＮ−ＯＦＦ釦５５の機能の分担の変更によって行なわれる。なおこの対応関係が図１５に示されている。
【００４２】
図１８に示すようにモードの切換えにおいて、タッチパネルモードが選択された場合には、ズーム釦５２によってズーム動作、すなわちテレとワイドの何れかの動作が行なわれ、バックライト釦５５によって、表示パネル５１のバックライトのＯＮ・ＯＦＦの切換えが行なわれる。
【００４３】
これに対して図１７に示すフローチャートに基いてハウジングモードの選択が行なわれると、図１８に示すように、防水ハウジングのズーム釦６８、６９の操作によって、カメラ本体４５のズーム釦５２の操作が行なわれ、これによってテレとワイドの切換え動作が行なわれる。また防水ハウジングのフラッシュ釦７１によって操作されるカメラ本体４５側のバックライトＯＮ−ＯＦＦ釦５５によって、フラッシュの切換え動作が行なわれる。
【００４４】
なお上述の動作は、ハウジングモードであってしかも撮影時の動作を示している。図１８に示すように、ハウジングモードにおいてさらに撮影ではなく再生を選んだ場合には、防水ハウジングのズーム釦６８、６９と対応するカメラ本体４５のズーム釦５２によって、画面送りと画面戻しとの動作が行なわれる。これに対して防水ハウジングのフラッシュ釦７１に対応するカメラ本体４５のバックライトＯＮ−ＯＦＦ釦５５は、再生時は応答しない。
【００４５】
図１９は上記ハウジングモードにおけるカメラ本体４５のズーム釦５２の動作を示しており、撮影動作時においては、左方向に操作するとワイド動作が行なわれ、右方向に操作するとテレ動作が行なわれる。従って防水ハウジングのズーム釦６８と６９の操作によって、ワイド動作とテレ動作とが行なわれる。これに対してハウジングモードであって再生動作時においては、防水ハウジングのズーム釦６８とズーム釦６９の操作によって、カメラ本体４５のズーム釦５２が左または右に押され、画面戻しと画面送りとが行なわれる。
【００４６】
次に防水ハウジングのフラッシュ釦７１に対応するカメラ本体４５のバックライトＯＮ−ＯＦＦ釦５５の操作に連動して、図２０に示すような動作が行なわれる。すなわち撮影の際には、防水ハウジングのフラッシュ釦７１を介してバックライトＯＮ−ＯＦＦ釦５５が押されると、フラッシュのトグル動作が行なわれる。１回押された場合にはフラッシュライト４７が作動される。２回押された場合には、フラッシュとスローシャッタの動作が行なわれる。３回押された場合には、フラッシュがＯＦＦになる。なお再生動作において防水ハウジングのフラッシュ釦７１を介してカメラ本体４５のバックライトＯＮ−ＯＦＦ釦５５を押した場合には、動作が行なわれず、無応答になる。
【００４７】
このように本実施の形態の撮影装置は、表示パネル５１上にタッチパネル５７を重ねて配した電子スチルカメラ４５を防水ハウジング内に収納して使用する際に、電子スチルカメラ４５のズーム釦５２およびバックライトＯＮ−ＯＦＦ釦５５の機能を切換えるようにし、この切換えを行なうことによって、防水ハウジング内に収納してカメラ本体４５を使用する場合にも、最低限の機能が達成されるようにしている。すなわちタッチパネル５７の操作によって機能を行なうようにした電子スチルカメラ４５において、そのハードキーの割当を変更することによって、防水ハウジング内に収納して使用する場合には、機能が変更されたハードキーを使用することによって、タッチパネル５７を操作することなく水中撮影時に求められる機能、すなわちフラッシュライト４７の切換えや、再生画面の確認等の最低限の機能を防水ハウジングの外から操作可能にすることができる。
【００４８】
以上本願発明を図示の実施の形態によって説明したが、本願発明は上記実施の形態によって限定されることなく、本願に含まれる発明の技術的思想の範囲内において各種の変更が可能である。例えば上記実施の形態は、防水ハウジングに設けられているズーム釦６８、６９およびフラッシュ釦７１の操作によって、水中撮影時におけるカメラ本体４５の最低限の操作を可能にしているが、ここで可能にされる操作の種類は、必ずしも上記実施の形態によって限定されず、さらに別の機能の操作をも付加することができる。また上記実施の形態は、電子スチルカメラと防水ハウジングとの組合わせに関するものであるが、本願発明は、電子ビデオカメラと防水ハウジングとの組合わせにも適用することができる。また防水ハウジングとしては、高い水圧に耐えるものに限定されることなく、軽微な防水機能を有する防滴タイプの防水ハウジングにも適用可能である。
【産業上の利用可能性】
【００４９】
本願発明は、電子スチルカメラや電子ビデオカメラを防水ハウジング内に収納して撮影を行なう撮影装置に利用することができる。
【図面の簡単な説明】
【００５０】
【図１】防水ハウジングの外観斜視図である。
【図２】同防水ハウジングの平面図である。
【図３】同防水ハウジングの正面図である。
【図４】同防水ハウジングの右側面図である。
【図５】同防水ハウジングの分解斜視図である。
【図６】防水ハウジングに設けられているフラッシュライトの光路を変更するための反射フレームの平面図である。
【図７】図８におけるＡ−Ａ線断面図である。
【図８】同フレームの正面図である。
【図９】図８におけるＢ−Ｂ線断面図である。
【図１０】同反射フレームの外観斜視図である。
【図１１】同反射フレームによるフラッシュライトからの光の光路の変更の動作を示す縦断面図である。
【図１２】カメラ本体の斜視図である。
【図１３】同カメラ本体の背面側の斜視図である。
【図１４】カメラ本体のタッチパネルの平面図である。
【図１５】電子スチルカメラと防水ハウジングとの操作釦の対応関係を示す斜視図である。
【図１６】カメラ本体の制御系を示すブロック図である。
【図１７】ハウジングモードへの切換え動作を示すフローチャートである。
【図１８】タッチパネルモードとハウジングモードの切換えの際における各操作釦の動作を示すフローチャートである。
【図１９】ハウジングモードにおけるズーム釦の機能を示すフローチャートである。
【図２０】ハウジングモードにおけるバックライトＯＮ−ＯＦＦ釦の機能を示すフローチャートである。
【符号の説明】
【００５１】
１０…ハウジング本体、１１…リヤカバー、１２…ヒンジ、１３、１４…取付けアーム、１５…ロックアーム、１８…保持枠、１９…カメラ押さえ、２０…保持筒、２１…外筒、２２…シール部材、２３…透明板、２４…押さえリング、２５…外側押さえ、３０…反射フレーム、３１…突片、３２…反射面、３３…突片、３４…反射面、３５…入射窓、３６…出射窓、３７…拡散板、３８…取付け用凹部、３９…凸面鏡、４０…取付け用突部、４１…キセノン管、４２…反射板、４３…レンズ、４５…カメラ本体（電子スチルカメラ）、４６…レンズ鏡筒、４７…フラッシュライト、４８…パワースイッチ（電源釦）、４９…シャッタ釦、５１…表示パネル（液晶表示装置）、５２…ズーム釦（テレ／ワイド切換え）、５３…撮影／再生切換え釦、５４…タッチパネル釦、５５…バックライトＯＮ−ＯＦＦ釦、５７…タッチパネル、５８…オート釦、５９…メニュー釦、６０…フラッシュ釦、６１…タイマ釦、６２…マクロ釦、６３…画サイズ設定釦、６６…パワースイッチ釦、６７…シャッタ釦、６８…ズーム釦（ワイド）、６９…ズーム釦（テレ）、７０…撮影／再生切換え釦、７１…フラッシュ釦、７５…レンズ、７６…ＣＣＤ、７７…増幅器、７８…信号処理部、７９…映像信号処理回路、８０…制御部（ＣＰＵ）、８１…操作部、８３…液晶駆動部、８４…内部メモリ、８５…インターフェース、８６…メモリドライブ、８７…半導体メモリ（メモリカード）、８８…インターフェース、８９…ＵＳＢコネクタ
【図１】
0004452853.tif 000002
【図２】
0004452853.tif 000003
【図４】
0004452853.tif 000004
【図５】
0004452853.tif 000005
【図６】
0004452853.tif 000006
【図７】
0004452853.tif 000007
【図８】
0004452853.tif 000008
【図９】
0004452853.tif 000009
【図１０】
0004452853.tif 000010
【図１１】
0004452853.tif 000011
【図１２】
0004452853.tif 000012
【図１３】
0004452853.tif 000013
【図１４】
0004452853.tif 000014
【図１５】
0004452853.tif 000015
【図１６】
0004452853.tif 000016
【図１７】
0004452853.tif 000017
【図１８】
0004452853.tif 000018
【図１９】
0004452853.tif 000019
【図２０】
0004452853.tif 000020
【図３】
0004452853.tif 000021